(57)【要約】      （修正有）【課題】フィルム状の破砕物を破砕する場合でも、破砕装置の刃の部分の付着・目詰まりを起こし難くする破砕物供給装置を提供する。【解決手段】投入口から破砕物を引き込み破砕する破砕装置へ破砕物１４を供給する装置１であって、秘密情報が記載されたフィルム状でロール状に巻かれた破砕物１４を、回転可能な状態で支持する破砕物支持部２と、破砕物１４の表面を覆うための被覆紙２４であって、ロール状に巻かれた被覆紙２４を回転可能な状態で支持する２つの被覆紙支持部８とを有し、一の被覆紙支持部８が支持する被覆紙２４によって一の面が覆われ、他の被覆紙支持部８が支持する被覆紙２４によって他の面が覆われて、２つの被覆紙に挟み込まれた状態で破砕物１４を、投入口に供給する破砕物供給部１０と、を有する。【選択図】図３
0003210217.tif 000002
【実用新案登録請求の範囲】
【請求項１】
投入口から破砕物を引き込み破砕する破砕装置へ、該破砕物を供給する破砕物供給装置であって、
秘密情報が記載されたフィルム状の前記破砕物であって、ロール状に巻かれた前記破砕物を回転可能な状態で支持する破砕物支持部と、
前記破砕物の表面を覆うための被覆紙であって、ロール状に巻かれた前記被覆紙を回転可能な状態で支持する２つの被覆紙支持部と、
一の前記被覆紙支持部が支持する前記被覆紙によって一の面が覆われ、他の前記被覆紙支持部が支持する前記被覆紙によって他の面が覆われることによって、２つの前記被覆紙によって挟み込まれた状態の前記破砕物支持部に支持される前記破砕物を、前記投入口に供給する破砕物供給部と、を有することを特徴とする破砕物供給装置。
【請求項２】
前記破砕物支持部が、前記破砕物が形成するロールの中心部に位置する孔に挿通させる棒状部材であることを特徴とする請求項１に記載の破砕物供給装置。
【請求項３】
前記破砕物支持部が、前記破砕物が形成するロールの中心部に位置する軸部材端部のそれぞれを下方から支持する２つのＵ字型部材であることを特徴とする請求項１に記載の破砕物供給装置。
【請求項４】
前記被覆紙支持部から前記破砕物供給部までの間に位置し、前記被覆紙を前記被覆紙支持部から破砕物供給部までスムーズに搬送させるためのガイド部を有することを特徴とする請求項１乃至３の何れか一に記載の破砕物供給装置。
【請求項５】
前記破砕物供給部が前記投入口付近に位置するように設置されることを特徴とする請求項１乃至４の何れか一に記載の破砕物供給装置。
【考案の詳細な説明】
【技術分野】
【０００１】
シュレッダーへ、該シュレッダーで裁断する文書などを供給する装置の技術に関する。
【背景技術】
【０００２】
破砕装置とは、所謂シュレッダーであって、不要になった文書などの破砕物を細かく裁断する機械である。
【０００３】
破砕装置によって破砕可能な破砕物は、破砕装置の機能によって紙類から記録媒体まで多岐に渡る。例えば、タイプライターやプリンターで使用されるインクリボンは、使用済みの部位に印字させた情報が残ってしまうため、個人情報などの秘密性の高い情報の印時に使用されたインクリボンは、秘密性の高い情報を適切に廃棄するために、破砕装置によって破砕し廃棄したいというニーズが大きい。
【先行技術文献】
【特許文献】
【０００４】
【特許文献１】特開２００５−０２１７２８号公報
【考案の概要】
【考案が解決しようとする課題】
【０００５】
しかしながら、従来の破砕装置において、インクリボン等フィルム状の破砕物を破砕装置によって破砕した場合、裁断された破砕物が破砕装置の刃の部分に付着し、目詰まりを引き起こすおそれがあるという問題点がある。
【０００６】
そこで、本考案では、上記問題点に鑑み、フィルム状の破砕物を破砕する場合でも、破砕装置の刃の部分に付着・目詰まりを起こし難くするようにして破砕物を破砕装置に供給する破砕物供給装置を提供することを目的とする。
【課題を解決するための手段】
【０００７】
開示する破砕物供給装置の一形態は、投入口から破砕物を引き込み破砕する破砕装置へ、該破砕物を供給する破砕物供給装置であって、秘密情報が記載されたフィルム状の前記破砕物であって、ロール状に巻かれた前記破砕物を回転可能な状態で支持する破砕物支持部と、前記破砕物の表面を覆うための被覆紙であって、ロール状に巻かれた前記被覆紙を回転可能な状態で支持する２つの被覆紙支持部と、一の前記被覆紙支持部が支持する前記被覆紙によって一の面が覆われ、他の前記被覆紙支持部が支持する前記被覆紙によって他の面が覆われることによって、２つの前記被覆紙によって挟み込まれた状態の前記破砕物支持部に支持される前記破砕物を、前記投入口に供給する破砕物供給部と、を有することを特徴とする。
【０００８】
開示する破砕物供給装置の一形態は、上記構成に加え、前記破砕物支持部が、前記破砕物が形成するロールの中心部に位置する孔に挿通させる棒状部材であることを特徴とする。
【０００９】
開示する破砕物供給装置の一形態は、上記構成に加え、前記破砕物支持部が、前記破砕物が形成するロールの中心部に位置する軸部材端部のそれぞれを下方から支持する２つのＵ字型部材であることを特徴とする。
【００１０】
開示する破砕物供給装置の一形態は、上記構成に加え、前記被覆紙支持部から前記破砕物供給部までの間に位置し、前記被覆紙を前記被覆紙支持部から破砕物供給部までスムーズに搬送させるためのガイド部を有することを特徴とする。
開示する破砕物供給装置の一形態は、上記構成に加え、前記破砕物供給部が前記投入口付近に位置するように設置されることを特徴とする。
【考案の効果】
【００１１】
開示する破砕物供給装置は、フィルム状の破砕物を破砕する場合でも、破砕装置の刃の部分に付着・目詰まりを起こし難くするようにして破砕物を破砕装置に供給する。
【図面の簡単な説明】
【００１２】
【図１】破砕装置の上に設置された本実施の形態に係る破砕物供給装置の斜視図である。
【図２】本実施の形態に係る破砕物供給装置の断面図である。
【図３】本実施の形態に係る破砕物供給装置の使用状態を示す図である。
【図４】本実施の形態に係る破砕物供給装置の断面図（その２）である。
【図５】本実施の形態に係る破砕物支持部に支持される破砕物を示す側面図である。
【考案を実施するための形態】
【００１３】
図面を参照しながら、本考案を実施するための形態について説明する。
（本実施の形態に係る破砕物供給装置の構造）
図１乃至５を用いて、本実施の形態に係る破砕物供給装置（以下、単に「供給装置」という。）１の構造について説明する。図１は、供給装置１の概要を説明するための図であり、図２及び４は、供給装置１の断面図であり、図３は、供給装置１の使用状態図である。また図５は、後述する破砕物１４の一形態を示す図である。
【００１４】
図１で示すように、供給装置１は、破砕装置（シュレッダー）２６の破砕物投入口２８に、破砕対象物１４を自動で供給する装置である。破砕装置２６は、投入口２８内に設置される刃によって破砕物１４を自動的に引き込みながら、破砕物１４を破砕（裁断）する装置である。破砕物１４は、紙類のようなフィルム状の形態であり、ロール状に巻かれた形態である。破砕物１４は、例えば、インクリボンである。また、破砕物１４は、表面に、個人情報などの秘密性の高い情報が読み取れる状態となって（記載されて）いる。
【００１５】
供給装置１は、破砕物支持部２、被覆紙支持部８、破砕物供給部１０、ガイド部１２を有する。図２及び４で示すように、破砕物支持部２は、破砕物１４を回転可能な状態で支持する部位である。図２及び３で示すように、ロール状の破砕物１４の中心部分に貫通孔２０がある場合、破砕物支持部２は、破砕物１４が備える貫通孔２０に挿通可能な棒状部材４であり、棒状部材４を貫通孔２０に挿通させた状態で支持する。一方、図４及び５で示すように、ロール状の破砕物１４の中心部分に軸部材２２が配置される場合、破砕物支持部２は、破砕物１４が備える軸部材２２端部を下方から支持するＵ字型部材６で構成され、２つのＵ字型部材６が軸部材２２の両側において支持する。
【００１６】
被覆紙支持部８は、ロール状に巻かれた被覆紙２４を回転可能な状態で支持する部位である。被覆紙２４は、破砕物１４の表面を覆うための紙である。図３で示すように、被覆紙支持部８は、ロール状の被覆紙２４の中心部分にある貫通孔に挿通可能な棒状部材であり、当該貫通孔に挿通させた状態で被覆紙２４を支持する。被覆紙２４は、後述するように、破砕物１４を両面（両側）から挟み込む必要があるので、被覆紙支持部８は、２つ配置される。
【００１７】
破砕物供給部１０は、一方の被覆紙２４によって一方の面１６が覆われ、他方の被覆紙２４によって他方の面１８が覆われ、２つの被覆紙２４によって挟み込まれた破砕物１４を投入口２８に供給する部位である。なお、図３で示すように、投入口２８付近に位置する破砕物１４（及び２つの被覆紙２４）は、投入口２８内に設置される刃によって自動的に破砕装置２６内に引き込まれ、破砕装置２６によって破砕（裁断）される。また、破砕物供給部１０は、投入口２８付近に位置するように設置されることが好適である。被覆紙２４によって挟み込まれた破砕物１４をスムーズに投入口２８に供給することができるからである。
【００１８】
ガイド部１２は、被覆紙支持部８から破砕物供給部１０まで（被覆紙２４の搬送路）の間に配置され、被覆紙２４を被覆紙支持部８から破砕物供給部１０までスムーズに搬送させるための棒状部材である。ガイド部１２は、搬送中の被覆紙２４の搬送方向を変える役割を果たす。
【００１９】
図１で示すように、供給装置１は、破砕装置２６の筐体外に設置して使用する形態が好適であるが、例えば、被覆紙支持部８、破砕物供給部１０、ガイド部１２など供給装置１の構成要素の一部が破砕装置２６の筐体内に配置される形態としても良い。
（本実施の形態に係る破砕物供給装置の使用方法）
【００２０】
図３を用いて、供給装置１の使用方法について説明する。図３で示すように、供給装置１のユーザーは、破砕物支持部２に破砕物１４のロールを設置すると共に、被覆紙支持部８に被覆紙２４のロールを設置する。
【００２１】
そして、ユーザーは、設置した破砕物１４の一端を引っ張って、破砕物供給部１０の位置に破砕物１４の端部を配置させる。また、ユーザーは、設置した被覆紙２４の一端を引っ張り、ガイド部１２を経由して、破砕物供給部１０の位置に被覆紙２４の端部を配置させる。このとき、破砕物１４は、２枚の被覆紙２４で挟まれた状態となっている。
【００２２】
次に、図１で示すように、ユーザーは、破砕物供給部１０が投入口２８付近に位置するように、破砕装置２６上に供給装置１を設置し、破砕装置２６を始動させた後、２枚の被覆紙２４で挟まれた破砕物１４端部を投入口２８に挿入する。
【００２３】
その後、破砕装置２６は、投入口２８内に設置される刃によって破砕物１４及び被覆紙２４を自動的に引き込みながら、破砕物１４及び被覆紙２４を破砕（裁断）する。破砕された破砕物１４は、破砕された被覆紙２４と共に、破砕装置２６が備える破砕物回収容器に回収される。つまり、破砕装置２６による破砕処理の前後において、破砕物１４は、被覆紙２４に覆われた状態であるため、破砕装置の刃の部分へ付着し難い。
【００２４】
上記のように、供給装置１は、破砕物１４がインクリボン等フィルム状物であっても、破砕（裁断）された破砕物１４が破砕装置の刃の部分へ付着し、目詰まりを引き起こすリスクを低減させる。
【００２５】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２６】
１    破砕物供給装置
２    破砕物支持部
４    棒状部材
６    Ｕ字型部材
８    被覆紙支持部
１０  破砕物供給部
１２  ガイド部
１４  破砕物
１６  破砕物の一の面
１８  破砕物の他の面
２０  破砕物が形成するロールの中心部に位置する孔
２２  破砕物が形成するロールの中心部に位置する軸部材
２４  被覆紙
２６  破砕装置
２８  投入口
【図１】
0003210217.tif 000003
【図２】
0003210217.tif 000004
【図３】
0003210217.tif 000005
【図４】
0003210217.tif 000006
【図５】
0003210217.tif 000007